(57)【要約】【課題】従来印刷物によっていた香典返し、結婚式の引き物等のフリーチョイスシステムを電子化し、受け取り主に贈り主が設定した金額を知られることなくギフトを提供でき、商品の多種多様化、受け取り主の購買傾向の把握、カタログのペーパーレス化、受け取り主の権利の流動化を実現する。【解決手段】インターネット上にギフトのフリーチョイスマーケットを開設し、ギフトの贈り主がフリーチョイス権を取得して、メール等でギフトの受取り主へフリーチョイス権を贈り、受け取り主は、贈り主が開設したインターネット上のフリーチョイスマーケット上に掲載されているギフト群の中から、自分が最も欲しいものをメールで注文する。フリーチョイスマーケット上のギフト群には贈り主が設定した金額は明示されていない。【選択図】なし【特許請求の範囲】
【請求項１】
ギフトの贈り主が、電子ショッピングマーケットの主体との間で、送るギフトの価格と受け取り主を確定して、あらかじめ商品代金をに支払い、その後、電子ショッピングマーケットの主体は電子ギフトメールを受け取り主のＰＣや携帯電話やその他のインターネットが接続可能な機器に送信されて知らせるとともに、メール内には、贈り主のコメント等が表示され、メールからその価格に該当するも価格が明示されない商品群を表示する手段を備えたインターネット上の電子ショッピングマーケットで商品群がリンク表示され、受け取り主は商品を選択してメールにて注文する、一連の連動した作業をできる様にしたことを特徴とする、インターネットギフトシステム。
【請求項２】
電子ギフトメールの受け取り主はギフトを受け取る権利を他人に譲渡可能なことを特徴とする、インターネットギフトシステム。
【請求項３】
電子ギフトメールの受け取り主は、贈り主に対する返礼メールの言葉の入力手段を備えていて、受け取り主が商品の選択と贈り主に返礼メールとが同時にでき、かつそのような内容の確認の表示がなされるようにして、商品が送付される様にしたことを特徴とする、インターネットギフトシステム。
【請求項４】
電子ギフトメールの受け取り主は、贈り主に対し、インターネットを介して選択した商品を知らせる様にしたことを特徴とする、インターネットギフトシステム。
【請求項５】
インターネット上の電子ショッピングマーケットにはギフトの贈り主とで設定された値段に応じて受け取り主に表示される商品群が自由に変更することができる様にしたことを特徴とする、インターネットギフトシステム。
【発明の詳細な説明】
【技術分野】
【０００１】
ギフトの贈り主が、電子ショッピングマーケットの主体との間で、送るギフトの価格と受け取り主を確定して、あらかじめ商品代金を支払い、その後、電子ショッピングマーケットの主体は電子ギフトメールを受け取り主のＰＣや携帯電話やその他のインターネットが接続可能な機器に送信されて知らせるとともに、メール内には、贈り主のコメント等が表示され、メールからその価格に該当するも価格が明示されない商品群を表示する手段を備えたインターネット上の電子ショッピングマーケットで商品群がリンク表示され、受け取り主は商品を選択してメールにて注文する、一連の連動した作業をできる様にしたことを特徴とする、インターネットギフトシステムに関する。
【背景技術】
【０００２】
従来のカタログギフトの問題として、商品の詳細が詳しく分からない、紙ベースのため掲載アイテムの制限がある、選んだ後のカタログははゴミになる、印刷物の性質上、内容の更新に時間・手間・費用がかかる、旬のものが対応しにくい、ありきたりの商品になりがち、受け取ったかの確認できないなどの問題がある。    
【０００３】
また、従来の電子ギフトの問題として、ギフト券は贈った金額が受け取り主に分かってしまう、掲載商品には金額が明示されており、ギフト券の額面をこえた購買ができないため受け取り主は十分な満足感を得られない、受け取り主ごとに金額設定が自由にできないなどの問題がある。
【特許文献１】特許公開２００５−１７４０７１号公報
【発明の開示】
【発明が解決しようとする課題】
【０００４】
ギフトの受け取り主の満足度を十分えられることを目的とする。
【課題を解決するための手段】
【０００５】
上述の如き本発明の目的を達成するために、本願の請求項１に係る発明では、ギフトの贈り主が、電子ショッピングマーケットの主体との間で、送るギフトの価格と受け取り主を確定して、あらかじめ商品代金を支払い、その後、電子ショッピングマーケットの主体は電子ギフトメールを受け取り主のＰＣや携帯電話やその他のインターネットが接続可能な機器に送信されて知らせるとともに、メール内には、贈り主のコメント等が表示され、メールからその価格に該当するも価格が明示されない商品群を表示する手段を備えたインターネット上の電子ショッピングマーケットで商品群がリンク表示され、受け取り主は商品を選択してメールにて注文する、一連の連動した作業をできる様にしたことを特徴とする、インターネットギフトシステムを提供する。
【０００６】
本願の請求項２に係る発明では、電子ギフトメールの受け取り主はギフトを受け取る権利を他人に譲渡可能なことを特徴とする、インターネットギフトシステムを提供する。
【０００７】
本願の請求項３に係る発明では、電子ギフトメールの受け取り主は、贈り主に対する返礼メールの言葉の入力手段を備えていて、受け取り主が商品の選択と贈り主に返礼メールとが同時にでき、かつそのような内容の確認の表示がなされるようにして、商品が送付される様にしたことを特徴とする、インターネットギフトシステムを提供する。
【０００８】
本願の請求項４に係る発明では、電子ギフトメールの受け取り主は、贈り主に対し、インターネットを介して選択した商品を知らせる様にしたことを特徴とする、インターネットギフトシステムを提供する。
【０００９】
本願の請求項５に係る発明では、インターネット上の電子ショッピングマーケットにはギフトの贈り主とで設定された値段に応じて受け取り主に表示される商品群が自由に変更することができる様にしたことを特徴とする、インターネットギフトシステムを提供する。
【発明を実施するための最良の形態】
【００１０】
以下、この発明の実施の形態について説明する。送り主（Ｓ）が電子ショッピングマーケットのサイトにアクセスして、名目（香典返し、お中元、お歳暮、お祝い返しとか）、添えるコメント（動画も可）、受け取り主の名前（Ａ）、アドレス、設定する金額、を入力し、包装紙、ラッピング方法等を選び入力を完了する。
【００１１】
先払いで決済する。
【００１２】
電子ショッピングマーケットが受け取り主にメールを届ける。メールにはコメント、サイトのＵＲＬ、認証パスワードが付加される。
【００１３】
受け取り主はＩＤ、パスワードを入力すると設定金額で買うことの出来る商品のみが表示されるサイトにログインできる。商品を選んだ後、発送先住所、宛名、電話番号、返礼のコメント（任意）を入力する。受け取り主は任意で（Ａ）が何を選んだかを（Ｓ）に知らせることが出来る。発送時期とサイトへのログインは期限を設ける。それまでは発送を遅らせることが出来るし、商品を変更も出来る。期限が過ぎたらサイトは閉鎖される。    
【００１４】
商品が届く。表装紙に相手の名前、中にはコメントが入って届く。商品はコンビニで受け取りも可能となる。
【００１５】
贈り主への情報開示を行う。贈り主は受け取り主の好みを知ることができる。
【００１６】
電子ショッピングマーケットの主体は顧客情報を集約し分析する。購買傾向等を把握できる。